(57)【要約】【課題】  据え置き便器、携帯用便器にセットできる採取性能に優れた採便具を提供する。【解決手段】  着座式便器６の本体６１の上縁の左右または、便座６２の表面の左右に貼り付けられて使用される採便具１であって、水溶性のカップ体２、および、カップ体２から左右方向またはさらに後ろ方向に延長されたバンド片４ａ，４ｂとからなり、少なくともカップ体２がプレス成形により形成される。【選択図】    図７
2015135296.tif 000002
【特許請求の範囲】
【請求項１】
着座式便器の本体の上縁の左右またはさらに後ろ端、または、
着座式便器の便座の表面の左右またはさらに後ろ端、
に貼り付けられて使用される採便具であって、
水溶性のカップ体、および、
前記カップ体から左右方向またはさらに後ろ方向に延長されたバンド片からなり、
少なくとも前記カップ体がプレス成形により形成されることを特徴とする採便具。
【請求項２】
前記各バンド片と前記カップ体との間には、前記カップ体を前記バンド片から分離する機構が備えられていることを特徴とする請求項１に記載の採便具。
【請求項３】
前記カップ体が平面視で、円形、楕円形または矩形をなすことを特徴とする請求項１に記載の採便具。
【請求項４】
前記カップ体の縁部にフランジが形成され、前記フランジまたはさらに前記カップ体のうち、前記バンドの短辺に平行な中央線が位置する前部分または前後部分が切り欠かれていることを特徴とする請求項１に記載の採便具。
【発明の詳細な説明】
【技術分野】
【０００１】
本発明は、据え置き便器、携帯用便器にセットできる採取性能に優れた採便具に関する。
【背景技術】
【０００２】
従来、たとえば、特許文献１〜３に示す、種々の採便用シートが提案されている。
採便用シートには、（ａ）採便後に、シート全体を便水により流せるよう即時水溶性であること、
（ｂ）便を採取したときに、便の重みで破断しない強度を有していること、
が要求される。
【先行技術文献】
【特許文献】
【０００３】
【特許文献１】特開２００６−０１０６６６
【特許文献２】特開２００４−０８５５２０
【特許文献３】特開１９９５−２７０４０３
【発明の開示】
【発明が解決しようとする課題】
【０００４】
特許文献１〜３に示される採便シートは、何れも上記（ａ），（ｂ）の要求が満たされている。
しかし、特許文献１，２に開示の技術では、便の状態によっては、採取ミス、すなわち一度は採取した便がシートから脱落する場合がある。
また、特許文献３に開示の技術では、特に、女性が使用するときに、採取した便に小水が混入する蓋然性が高い。
以上の理由から、特許文献１〜３に示される採便シートは実用に至っていないと推測される。
【０００５】
本発明の目的は、便を確実に採取でき、かつ、採取した便への小水の混入を防止できる採便具を提供することである。
【課題を解決するための手段】
【０００６】
（１）
着座式便器の本体の上縁の左右またはさらに後ろ端、または、
着座式便器の便座の表面の左右またはさらに後ろ端、
に貼り付けられて使用される採便具であって、
水溶性のカップ体、および、
前記カップ体から左右方向またはさらに後ろ方向に延長されたバンド片からなり、
少なくとも前記カップ体がプレス成形により形成されることを特徴とする採便具。
カップ体の材料として、水溶性の紙（単体紙、積層紙）、水溶性のファイバーが使用される。
【０００７】
（２）
前記各バンド片と前記カップ体との間には、前記カップ体を前記バンド片から分離する機構が備えられていることを特徴とする（１）に記載の採便具。
たとえば、各バンド片が端部側の片要素とカップ体側の片要素とからなる。端部側の片要素とカップ体側の片要素とが、一枚の剥離シートを介して結合される。
【０００８】
（３）
前記カップ体が平面視で、円形、楕円形または矩形をなすことを特徴とする（１）に記載の採便具。
【０００９】
（４）
前記カップ体の縁部にフランジが形成され、前記フランジまたはさらに前記カップ体のうち、前記バンドの短辺に平行な中央線が位置する前部分または前後部分が切り欠かれていることを特徴とする（１）に記載の採便具。
【００１０】
排便と同時に放尿が行われることは稀ではないが、男性の場合には、小水は前方に放出されるため採便具を濡らすことはない。
しかし、女性の場合、肛門と放尿口は近接している。このため、放尿によりフランジが濡れることがある。
フランジが濡れると、便に尿が混在することがある。（４）の構成とすることで、小水によりフランジが濡れることはない。
【００１１】
本発明の採便具は以下のようにして製造される。
まず、カップ体と前記カップ体の上縁から左右方向またはさらに後ろ方向に延長されたバンド片とからなる採便具中間品を製造する。
この製造には、プレス機の上定盤に取り付けられる上型と、前記プレス機の下定盤に取り付けられる下型とが用いられる。前記上型と前記下型との少なくとも一方が熱源を備えている。
前記上型と前記下型の一方が、採便具中間品（カップ体と前記カップ体の上縁から左右方向またはさらに後ろ方向に延長されたバンド片とからなる立体物）の表面側の三次元形状と同じ形状のプレス面を有している。また、前記上型と前記下型の他方が、前記採便具中間品の裏面側の三次元形状と同じ形状のプレス面を有している。
前記上型と前記下型との間に、単層紙、積層紙または綿状体からなる原材をセットしプレス機を動作させる（上定盤を下降させる）。
前記上型と前記下型の何れか一方には採便具中間品の縁の輪郭で刃が形成されているおり、原材はプレスと同時に前記輪郭でカットされ、採便具中間品が製造される。
なお、この採便具中間品のバンド片の端部に粘着材を設けるとともに粘着材の上に剥離シートを貼り付け、さらに必要に応じて採便具中間品に消臭剤、脱臭剤、芳香剤等を帯有させることで本発明の採便具が作成される。
【発明の効果】
【００１２】
本発明の採便具によれば、カップ体に便が採取されるので、採取ミスがなくなる。
特に、女性が使用した場合に、採取した便への小水の混入を防止できる。
【図面の簡単な説明】
【００１３】
【図１】図１は本発明の採便具の第１実施形態を示す説明図である。
【図２】図２は本発明の採便具の第２実施形態を示す説明図である。
【図３】図３は本発明の採便具の第３実施形態を示す説明図である。
【図４】図４は本発明の採便具の第４実施形態を示す説明図である。  図４（Ａ）は採便具１Ｄの平面図である。  図４（Ｂ）は採便具１Ｄの側面図である。
【図５】図５は図１〜図４に示した採便具１Ａ，１Ｂ，１Ｃ，１Ｄのバンド片４ａ，４ｂの端部に粘着材Ｐ１が設けられた状態を示す図である。  図５（Ａ）はバンド片４ａ，４ｂの平面図である。  図５（Ｂ）はバンド片４ａ，４ｂの側面図である。
【図６】図６は図１〜図４に示した採便具１Ａ，１Ｂ，１Ｃ，１Ｄのバンド片４ａ，４ｂに設けられる分離機構を示す図である。  図６（Ａ）はバンド片４ａ，４ｂの平面図である。  図６（Ｂ）はバンド片４ａ，４ｂの裏面図である。  図６（Ｃ）はバンド片４ａ，４ｂの側面図である。
【図７】図７は本発明の採便具の使用状態の説明図である。  図７（Ａ）は平面図である。  図７（Ｂ）は図７（Ａ）におけるＸ１−Ｘ１線断面図（正面図）である。  図７（Ｃ）は図７（Ａ）におけるＸ２−Ｘ２線断面図（側面図）である。
【図８】図８は本発明の採便具の使用状態の正面説明図である。  図８（Ａ）は便器本体の外周上端と便座との間に採便具をセットした様子を示す図である。  図８（Ｂ）は採便具を粘着材により便座左右の上面にセットした状態を示す図である。
【図９】図９は図４に示した採便具１Ｄの使用形態を示す図である。  図９（Ａ）は平面図である。  図９（Ｂ）は（Ａ）におけるＸ１−Ｘ１線断面図（正面図）である。  図９（Ｃ）は（Ａ）におけるＸ２−Ｘ２線断面図（側面図）である。
【図１０】図１０は本発明の採便具１（１Ａ，１Ｂ，１Ｃ，１Ｄ）の製造方法を示す図である。  図１０（Ａ）は、原材８０を上型８１と下型８２との間にセットした様子を示す図である。  図１０（Ｂ）は、上型８１と下型８２とにより、原材８０を熱プレスし、同時に原材８０の周囲を刃８３によりカットする様子を示す図である。  図１０（Ｃ）は、採便具１（１Ａ，１Ｂ，１Ｃ）を製造した様子を示す図である。
【発明を実施するための形態】
【００１４】
図１は本発明の採便具の第1実施形態を示す図である。
図１において採便具１Ａは、カップ体２と、一対のバンド片４ａ，４ｂとからなるバンド４とにより構成されている。
カップ体２は、開口部にフランジ３が形成されている。
バンド４（バンド片４ａ，４ｂ）は、フランジ３を一部として持ち、フランジ３から左右に延長されて構成されている。
図１ではカップ体２は平面視円形に形成されており、カップ体２の開口径の大きさは、バンド４の幅よりも大きく形成されている。
図１ではカップ体２およびフランジ３の、バンド４の短辺に平行な中央線が位置する前部分が切り欠かれている。切り欠き部５により、採取した便に小水が混入することが防止される。
【００１５】
図２は本発明の採便具の第２実施形態を示す図である。
図２において採便具１Ｂは、カップ体２と、一対のバンド片４ａ，４ｂからなるバンド４とにより構成されている。
カップ体２は、開口部にフランジ３が形成されている。
バンド４（バンド片４ａ，４ｂ）は、フランジ３を一部として持ち、フランジ３から左右に延長されて構成されている。
図２ではカップ体２は平面視楕円形に形成されており、カップ体２の開口縦径の大きさは、バンド４の幅よりも小さく形成されている。
図２ではフランジ３の、バンド４の短辺に平行な中央線が位置する前後部分が切り欠かれている。切り欠き部５により、採取した便に小水が混入することが防止される。
【００１６】
図３は本発明の採便具の第３実施形態を示す図である。
図３において採便具１Ｃは、カップ体２と、一対のバンド片４ａ，４ｂとからなるバンド４とにより構成されている。
カップ体２は、開口部にフランジ３が形成されている。
バンド４（バンド片４ａ，４ｂ）は、フランジ３を一部として持ち、フランジ３から左右に延長されて構成されている。
図３ではカップ体２は平面視楕矩形に形成されており、カップ体２の開口縦径の大きさは、バンド４の幅よりも小さく形成されている。
図３ではフランジ３の、バンド４の短辺に平行な中央線が位置する前部分が切り欠かれている。切り欠き部５により、採取した便に小水が混入することが防止される。
【００１７】
図４は本発明の採便具の第４実施形態を示す図であり、図４（Ａ）は平面図、図４（Ｂ）は側面図である。
図４において採便具１Ｄは、カップ体２と、左右のバンド片４ａ，４ｂと、後ろ端のバンド片４ｃからなるバンド４とにより構成されている。
カップ体２は、開口部にフランジ３が形成されている。
バンド４（バンド片４ａ，４ｂ，４ｃ）は、フランジ３を一部として持ち、フランジ３から左右に延長されて構成されている。
図４ではカップ体２は平面視楕矩形に形成されており、カップ体２の開口縦径の大きさは、バンド４の幅よりも小さく形成されている。
図４ではフランジ３の、バンド４の短辺に平行な中央線が位置する前部分が切り欠かれている。切り欠き部５により、採取した便に小水が混入することが防止される。
【００１８】
図５は図１〜図４に示した採便具１Ａ，１Ｂ，１Ｃ，１Ｄのバンド片４ａ，４ｂの端部に粘着材Ｐ１が設けられた状態を示す図である。図５（Ａ）は平面図、図５（Ｂ）は側面図である。
粘着材Ｐ１は剥離シートｏに被覆されており、使用時に剥離され、バンド片４ａ，４ｂは、便器の本体または便座に貼り付けられる（すなわち、採便具１Ａ，１Ｂ，１Ｃ，１Ｄは便器の本体または便座に貼り付けられる）。
【００１９】
図６は図１〜図４に示した採便具１Ａ，１Ｂ，１Ｃ，１Ｄのバンド片４ａ，４ｂに設けられる分離機構を示す図である。
図６（Ａ）はバンド片４ａ，４ｂの平面図、図６（Ｂ）はバンド片４ａ，４ｂの裏面図、図６（Ｃ）はバンド片４ａ，４ｂの側面図である。
図６（Ａ），（Ｂ），（Ｃ）においてバンド片４ａ，４ｂとカップ体２との間には、カップ体２をバンド片４ａ，４ｂから分離する分離機構が備えられている。
分離機構は、バンド片４ａ，４ｂが端部側の片要素ｑとカップ体側の片要素ｒと剥離シートｓと粘着材Ｐ２（通常は、水溶性である）とからなる。端部側の片要素ｑとカップ体側の片要素ｒとが、剥離シートｓを介して結合される。端部側の片要素ｑとカップ体側の片要素ｒとは、粘着材Ｐ２に貼着された剥離シートｓにより結合されている。
採便具１Ａ，１Ｂ，１Ｃ，１Ｄは、図５で説明したように、粘着材Ｐ１により、便器の本体または便座に取り付けることができる（図７および図８参照）。
また採便の後には、剥離シートｓを剥がすことにより、カップ体２とカップ体側の片要素ｒを、端部側の片要素ｑから分離することができる。
カップ体２およびはカップ体側の片要素ｒは水溶性である必要がある。端部側の片要素ｑは水溶性の場合には、採便後に、カップ体２およびはカップ体側とともに、便水により廃棄することができる。端部側の片要素ｑが、非水溶性の場合には、当該片要素ｑは、通常のゴミとして廃棄される。
【００２０】
図７は図１〜図３に示した採便具１Ａ，１Ｂ，１Ｃの使用形態を示す図であり、図７（Ａ）は平面図、図７（Ｂ）は（Ａ）におけるＸ１−Ｘ１線断面図（正面図）、図７（Ｃ）は（Ａ）におけるＸ２−Ｘ２線断面図（側面図）である。
後述するように、採便具１Ａ，１Ｂ，１Ｃの左右のバンド片４ａ，４ｂは、着座式便器の本体の上縁の左右または便座の左右に取り付けられる。なお、図７（Ａ），（Ｂ），（Ｃ）においては、採便具１Ａ，１Ｂ，１Ｃは「採便具１」として示されている。
【００２１】
図７（Ａ），（Ｂ），（Ｃ）では、着座式便器６は本体６１と便座６２とからなる。
図７（Ａ），（Ｂ），（Ｃ）に示されるように、バンド４の両端（左右のバンド片４ａ，４ｂの端部）は、それぞれ、便座６２の上面を覆ってかつ、便座６２の外側から着座式便器６の本体６１と便座６２との間に挟み込まれている。
図７（Ａ），（Ｂ），（Ｃ）の採便具１では、カップ体２により便ＳＨが採取されるので、便ＳＨが硬いような場合に生じる採取ミスが防止される。
また、図７（Ｃ）では、切り欠き部５により、採取した便ＳＨへの小水の混入が防止される様子が示されている。
図７（Ｃ）において、符号ＵＭは男性の放尿時の小水の放出範囲を示しており、符号ＵＦは女性の放尿時の小水の放出範囲を示している。
図７（Ｃ）に示すように、採便具１（１Ａ，１Ｂ，１Ｃ）では切り欠き部５（図１〜図４参照）が形成されているので、女性の小水も、採取した便ＳＨに混入することはない。
【００２２】
図８は本発明の採便具の使用状態の正面説明図である。
図８（Ａ），（Ｂ）におけるある符号が示す構成要素と、図７（Ａ），（Ｂ），（Ｃ）における同一符号が示す構成要素とは、同じものである。
図８（Ａ）では、着座式便器６の本体６１の外周上端と便座６２との間に、バンド片４ａ，４ｂが挟まれて固定されている。
図８（Ｂ）では、バンド片４ａ，４ｂは、水溶性の粘着材Ｐにより便座６２の左右の上面に貼り着けられている。
【００２３】
図９は図４に示した採便具１Ｄの使用形態を示す図であり、図９（Ａ）は平面図、図９（Ｂ）は（Ａ）におけるＸ１−Ｘ１線断面図（正面図）、図９（Ｃ）は（Ａ）におけるＸ２−Ｘ２線断面図（側面図）である。
図９（Ａ），（Ｂ），（Ｃ）におけるある符号が示す構成要素と、図７（Ａ），（Ｂ），（Ｃ）における同一符号が示す構成要素とは、同じものである。
図９（Ａ），（Ｂ），（Ｃ）では、採便具１Ｄの左右のバンド片４ａ，４ｂは便座６２の左右の上面に貼り付けられ、後ろ端のバンド片４ｃは便座６２の後ろ側の上面に貼り付けられている。
【００２４】
図１０は本発明の採便具１（１Ａ，１Ｂ，１Ｃ，１Ｄ）の製造方法の説明図である。
図１０（Ａ）は、トイレットペーパ（水溶性の不織紙）を重ねた原材８０を上型（オス型）８１と下型（メス型）８２との間にセットした様子を示している。上型８１と下型８２は、適宜の加熱手段により加熱されている。なお、加熱する型は、上型８１、下型８２の何れか一方でもよい。
【００２５】
図１０（Ｂ）は、上記の上型８１と下型８２とにより、原材８０を熱プレスし、同時に原材８０の周囲を上型８１に設けた刃８３によりカットする様子を示している。このとき、たとえば、上型８１，下型８２の少なくとも一方からスチームを放出させることができるし、予め原材８０にスチームを通しておき、この後熱プレスすることもできる。なお、図６に示したカップ体をバンド片から分離する機構を備えた採便具１（１Ａ，１Ｂ，１Ｃ，１Ｄ）の熱プレスに際しては、端部側の片要素ｑとカップ体側の片要素ｒとを分離するための刃を上型８１に設けておくことができる。
図１０（Ｃ）に示すように、採便具１（１Ａ，１Ｂ，１Ｃ，１Ｄ）の中間製品が生成される。
【００２６】
なお、熱プレスの前工程、熱プレスと同時、または熱プレスの後工程において、消臭剤、脱臭剤、芳香剤の少なくとも１つを採便具１（１Ａ，１Ｂ，１Ｃ，１Ｄ）に含ませる（染み込ませる）ことができる。
【符号の説明】
【００２７】
１Ａ，１Ｂ，１Ｃ，１Ｄ  採便具
２  カップ体
３  フランジ
４  バンド
４ａ，４ｂ，４ｃ  バンド片
６  着座式便器
７  使用者
６１  着座式便器の本体
６２  便座
８０  原材
８１  上型
８２  下型
ｏ，ｓ  剥離シート
ｑ  バンド４の端部側の片要素
ｒ  バンド４のカップ体側の片要素
Ｐ  粘着材
ＳＨ  大便
ＵＭ  男性の放尿時の小水の放出範囲
ＵＦ  女性の放尿時の小水の放出範囲
【図１】
2015135296.tif 000003
【図２】
2015135296.tif 000004
【図３】
2015135296.tif 000005
【図４】
2015135296.tif 000006
【図５】
2015135296.tif 000007
【図６】
2015135296.tif 000008
【図７】
2015135296.tif 000009
【図８】
2015135296.tif 000010
【図９】
2015135296.tif 000011
【図１０】
2015135296.tif 000012